(57)【要約】【課題】新たな興趣を奏する遊技機を提供する。【解決手段】遊技機は、遊技球が流下可能な複数の流路それぞれに設けられ、該流路に対して遊技球の進入が相対的に容易な状態である開状態と、相対的に困難な状態である閉状態と、に遷移可能に構成される複数の開閉部と、遊技球が進入可能に構成される複数の進入路と、複数の進入路それぞれに設けられ、進入路へ遊技球が進入したことを検出する複数の検出部と、遊技球が複数の進入路のいずれかに進入したことが複数の検出部のいずれかにより検出されたときに、該進入路に対応する１つ以上の上記開閉部の状態を遷移させる制御部と、を備える。【選択図】図１
2019024929.tif 000002
【特許請求の範囲】
【請求項１】
遊技機であって、
遊技球が流下可能な複数の流路と、
前記複数の流路それぞれに設けられる開閉部であって、該流路に対して遊技球の進入が相対的に容易な状態である開状態と、遊技球の進入が相対的に困難な状態である閉状態と、に遷移可能に構成される複数の開閉部と、
前記複数の開閉部の状態を制御する制御部と、
遊技球が進入可能に構成される複数の進入路と、
前記複数の進入路それぞれに設けられ、前記進入路へ遊技球が進入したことを検出する複数の検出部と、を備え、
前記制御部は、遊技球が前記複数の進入路のいずれかに進入したことが前記複数の検出部のいずれかにより検出されたときに、該進入路に対応する１つ以上の前記開閉部の状態を遷移させるように構成されている、遊技機。
【請求項２】
請求項１に記載の遊技機であって、
前記制御部は、前記検出部により遊技球の前記進入路への進入が検出されていないときは、当該進入路に対応する前記開閉部を閉状態とし、前記検出部により前記進入が検出されたときは、所定の時間、当該進入路に対応する前記開閉部を開状態とするように構成されている、遊技機。
【請求項３】
請求項１又は請求項２に記載の遊技機であって、
前記遊技機は、遊技球が所定の入賞装置に入賞することにより、遊技者に有利な遊技状態となるか、又は前記遊技状態となるための抽選が行われるように構成されており、
前記複数の流路は、遊技球が前記入賞装置に入賞する確率が異なる少なくとも２つの流路を含む、遊技機。
【請求項４】
請求項１から請求項３のいずれか１項に記載の遊技機であって、
前記複数の流路のうちの少なくとも２つは、遊技球が流下可能である主流路から分岐する流路である副流路である、遊技機。
【請求項５】
請求項３を引用する請求項４に記載の遊技機であって、
前記複数の流路のうち、少なくとも２つは、前記副流路であり、
前記主流路の下流側において設けられる前記副流路ほど、前記入賞装置に入賞する確率が高くなるように構成されている、遊技機。
【請求項６】
請求項１から請求項５のいずれか１項に記載の遊技機であって、
前記複数の進入路のうち少なくとも２つは、１つの役物に設けられている、遊技機。
【請求項７】
請求項６に記載の遊技機であって、
前記役物は、遊技球を上面で保持する皿状形状であって、遊技球が通過可能な複数の貫通孔が設けられた皿状部材を備え、
前記皿状部材は、第１の前記進入路に遊技球が進入するように構成された第１貫通孔と、前記第１の進入路とは異なる第２の前記進入路に遊技球が進入するように構成された第２貫通孔と、を少なくとも備える、遊技機。
【発明の詳細な説明】
【技術分野】
【０００１】
本発明は、遊技機に関する。
【背景技術】
【０００２】
遊技球を用いたパチンコ遊技機として、例えば特許文献１に示されるように、遊技球が所定のゲートを通過したときに、一定時間、始動口が開放されるものがある。
【先行技術文献】
【特許文献】
【０００３】
【特許文献１】特開２０１２−１１５４１７号公報
【発明の概要】
【発明が解決しようとする課題】
【０００４】
しかしながら、遊技球がゲートを通過した結果、始動口が開放されるだけでは、ゲート通過を遊技者が気づきにくく、遊技の興趣の向上に十分に寄与していない場合があった。
本発明は、新たな興趣を奏する遊技機を提供する。
【課題を解決するための手段】
【０００５】
本発明の１つの態様は、遊技機であって、遊技球が流下可能な複数の流路と、前記複数の流路それぞれに設けられる開閉部であって、該流路に対して遊技球の進入が相対的に容易な状態である開状態と、遊技球の進入が相対的に困難な状態である閉状態と、に遷移可能に構成される複数の開閉部と、前記複数の開閉部の状態を制御する制御部と、遊技球が進入可能に構成される複数の進入路と、前記複数の進入路それぞれに設けられ、前記進入路へ遊技球が進入したことを検出する複数の検出部と、を備え、前記制御部は、遊技球が前記複数の進入路のいずれかに進入したことが前記複数の検出部のいずれかにより検出されたときに、該進入路に対応する１つ以上の前記開閉部の状態を遷移させるように構成されている、遊技機である。
【０００６】
このような遊技機は、遊技球が進入路に進入することで開放される流路が複数存在するため、進入路に遊技球が進入した結果を、開放された流路に進入した遊技球の存在により確認することができ、遊技の興趣の向上を図ることができる。
【０００７】
なお、上記遊技機において、前記制御部は、前記検出部により遊技球の前記進入路への進入が検出されていないときは、当該進入路に対応する前記開閉部を閉状態とし、前記検出部により前記進入が検出されたときは、所定の時間、当該進入路に対応する前記開閉部を開状態とするように構成されていてもよい。
【０００８】
このような遊技機であれば、進入路への遊技球の進入があり、それにより開放された流路に遊技球が進入したことを、遊技者が認識しやすくなる。
また上記遊技機は、遊技球が所定の入賞装置に入賞することにより、遊技者に有利な遊技状態となるか、又は前記遊技状態となるための抽選が行われるように構成されており、前記複数の流路は、遊技球が前記入賞装置に入賞する確率が異なる少なくとも２つの流路を含んでいてもよい。
【０００９】
このような遊技機であれば、遊技球の進入した流路によって入賞の期待値が変化するため、遊技の興趣を向上させることができる。
また上記遊技機において、前記複数の流路のうちの少なくとも２つは、遊技球が流下可能である主流路から分岐する流路である副流路であってもよい。さらに上記遊技機において、前記複数の流路のうち、少なくとも２つは、前記副流路であり、前記主流路の下流側において設けられる前記副流路ほど、前記入賞装置に入賞する確率が高くなるように構成されていてもよい。
【００１０】
このような遊技機であれば、主流路を流れる遊技球であっても、進入した流路によってその後の入賞の期待値が変化するため、遊技の興趣を向上させることができる。
また、上記遊技機において、前記複数の進入路のうち少なくとも２つは、１つの役物に設けられていてもよい。このような遊技機であれば、その役物を注目することでどの流路が開閉されるかが分かるため、遊技の興趣を向上させることができる。
【００１１】
例えば、上記役物は、遊技球を上面で保持する皿状形状であって、遊技球が通過可能な複数の貫通孔が設けられた皿状部材を備え、前記皿状部材は、第１の前記進入路に遊技球が進入するように構成された第１貫通孔と、前記第１の進入路とは異なる第２の前記進入路に遊技球が進入するように構成された第２貫通孔と、を少なくとも備えるものすることができる。
【図面の簡単な説明】
【００１２】
【図１】パチンコ機の構成を示す正面図である。
【図２】振分装置の構造を示す斜視図である。
【図３】振分装置の構造を示す斜視図である。
【図４】遊技領域に配置される役物を示す正面図である。
【図５】開放用クルーンを示す斜視図である。
【図６】第１クルーン、テーブル部材、及び振分板を示す斜視図である。
【図７】第１クルーン、テーブル部材、振分板を示す平面図である。
【図８】波板役物、回転体役物、入賞役物を示す斜視図である。
【図９】パチンコ機の機能ブロック図である。
【発明を実施するための形態】
【００１３】
以下、図面を参照しながら、発明を実施するための形態を説明する。
［１．実施形態］
［１−１．全体構成］
図１は、本発明に係る遊技機の一例としてパチンコ機１０１の実施の一形態を示した外観図である。
【００１４】
弾球遊技機の一種であるパチンコ機１０１の前面部には、上から順に盤面窓枠１０２、皿扉１０３、下部ユニット１０４が配されている。皿扉１０３には演出ボタン１０３ａが配されており、下部ユニット１０４にはハンドル１０４ａや灰皿１０４ｂが取り付けられている。
【００１５】
また、盤面窓枠１０２には窓１０７が設けられ、その周辺に電飾１０８が配されている。また、盤面窓枠１０２には、窓１０７を閉塞するためのガラス板１０７ａが窓１０７の背後に装着される。盤面窓枠１０２の背後の窓１０７に臨んだ位置には、中枠に保持された遊技盤１０９が配されている。遊技盤１０９は、ガラス板１０７ａとの間に遊技領域１１０を形成する。この遊技領域１１０は、遊技球が流下する領域であって、パチンコ機１０１内に形成される。
【００１６】
遊技盤１０９には、ガイドレール１１１、振分装置１０、入賞装置１１２、及び複数の役物（後述する中央役物群１３３など）が設けられている。
遊技者がハンドル１０４ａを回すと、発射装置１０４ｃにより、ハンドル１０４ａの回転量に対応した速度で遊技球が発射される。
【００１７】
発射された遊技球はガイドレール１１１に沿って上昇し、遊技領域１１０における上方の領域に移動する。遊技球は、遊技領域１１０の上方側に設けられた複数のブロック１２１に接触し、振分装置１０の開口１１に流入する。振分装置の詳細は後述する。但し、発射速度が小さく、最も左側に位置するブロック１２１ａに接触した遊技球、及び、ガイドレール１１１を離れてすぐに落下した遊技球に限り、アウト口１２２に落下し、遊技領域１１０（遊技盤１０９）から排出される。
【００１８】
振分装置１０の開口１１から振分装置１０の内部に入った遊技球は、左排出口３５Ｌ，右排出口３５Ｒのいずれか一方から振分装置１０の外部に排出される。左排出口３５Ｌから排出された遊技球は、左レール３６Ｌに乗って左に進み、遊技領域１１０における左側の範囲に送られる。また、右排出口３５Ｒから排出された遊技球は、右レール３６Ｒに乗って右に進み、遊技領域１１０における右側の範囲に送られる。
【００１９】
振分装置１０から排出された遊技球は、遊技領域１１０の左側に配置された左側役物ユニット１３１と、遊技領域１１０の右側に配置された右側役物ユニット１３２と、のいずれかに移動する。左側役物ユニット１３１と右側役物ユニット１３２の間には、複数の役物（第１クルーン２０１、テーブル部材２１１、振分板２２１、波板役物２３１、回転体役物２４１、入賞役物２５１）が上下に並んで配置されている。これら複数の役物を、中央役物群１３３と記載する。
【００２０】
遊技球が左側役物ユニット１３１及び右側役物ユニット１３２のいずれかから中央役物群１３３に戻り、中央役物群１３３の最下段にある入賞装置１１２に入賞すれば、遊技者に有利な大当たり遊技が開始される。
【００２１】
［１−２．振分装置の構成］
パチンコ機１０１では、放出手段（ハンドル１０４ａ及び発射装置１０４ｃ）によって遊技領域に放出された遊技球が、最初に振分装置１０に進入するように構成されている。
【００２２】
振分装置１０は、遊技球が進入する開口１１が形成されている。遊技者が発射した遊技球の大部分は開口１１から振分装置１０の内部に進入する。
図２を用いて振分装置１０の具体的な構成を説明する。振分装置１０は、遊技領域１１０の左右中央、かつ、上部側の領域に配置されている。
【００２３】
開口１１から進入した遊技球は、奥側（後方側）が下がった傾斜面１２を転がり、複数の突起１３に衝突しながら奥に進む。奥部には複数の貫通孔１４が形成されており、遊技球はそのいずれかの貫通孔１４から落下する。
【００２４】
貫通孔１４の下方には、左右に延びる回転軸２２を中心として回転可能に構成された左右に広がる回転板２１が設けられている。貫通孔１４から落下した遊技球は、この回転板２１に当接する。通常の動作モードのとき、言い換えると大当たり遊技の実行時以外は、回転板２１は前方が下になるように傾斜した状態となっている。そのため貫通孔１４から落下して回転板２１に当接した遊技球は前方に移動し、流路２４に入る。流路２４は、前端部分が遊技球１つのみ進入可能な狭路２５として形成されているため、遊技球は１つずつ狭路２５に進入する。
【００２５】
狭路２５の下流には、回転体３１が設けられている。回転体３１は、上方から流下した遊技球を左右に交互に振り分ける装置である。その機構や動作自体は公知の構成を採用することができるため、詳細な説明を割愛する。
【００２６】
この回転体３１により左右に振り分けられた遊技球は、左右方向に並ぶ左側板３２、中央板３３、右側板３４のうち、左側板３２及び中央板３３により形成される左排出口３５Ｌと、中央板３３及び右側板３４により形成される右排出口３５Ｒと、のいずれかから排出される。
【００２７】
なお、大当たり遊技時には、図３に示されるように、回転板２１がステップモータ２３により回転し、後方が下になるように傾斜した状態となる。回転板２１の奥側には図示しない大入賞装置が設けられている。つまり図３に示されるように回転板２１が移動することにより、大入賞装置が開放される。大入賞装置に入賞すると、遊技者は多くの賞球を得ることができる。
【００２８】
このように、振分装置１０は、２段階の振り分けが可能に構成されている。回転板２１による振分は、遊技領域１１０の前面側ではない、後方の領域で実行される。
［１−３．左側役物ユニット］
図４を用いて左側役物ユニット１３１の構成を説明する。
【００２９】
左排出口３５Ｌから振分装置１０の外部に排出された遊技球は、左レール３６Ｌにより遊技領域１１０の左側の範囲に進み、風車１４１に向かう。風車１４１は、回転軸１４２を中心に回転する。また風車１４１には９個の溝１４３が設けられており、遊技球はそのいずれかに収まり、風車１４１の回転に伴って移動する。
【００３０】
９個の溝１４３のうちの６個の溝１４３に入った遊技球は、風車１４１よりも外側（左側）において上下に伸びる排出流路１５１に排出される。排出流路１５１に排出された遊技球は、途中で分岐した流路に進入しない限り下端部１５１ａまで流下し、図示しないアウト口に入り、遊技領域１１０（遊技盤１０９）から排出される。この排出流路１５１が、主流路に相当する。
【００３１】
一方、９個の溝のうちの上述した６個を除く３つの溝に入った遊技球は、背面側に壁が形成されていることにより排出流路１５１に移動せず、風車の前方に配置されるシーソー１４４に落下する。シーソー１４４は常時左右に揺動しており、遊技球を、中央役物群１３３の最上段に位置する第１クルーン２０１、及び、排出流路１５１のいずれかに、一定の割合で振り分ける。
【００３２】
排出流路１５１には、上流から順に、第１羽根部材１６１、第２羽根部材１６２、第３羽根部材１６３、及び第４羽根部材１６４が設けられている。第１羽根部材１６１〜１６４は、通常は排出流路１５１における遊技球の流下を妨げない位置にあるが、それぞれに設定された条件を満たしたとき（後述する開放クルーン１７２のいずれかの貫通孔に遊技球が入ったとき）に、一定の期間のみ、排出流路１５１から分岐した流路（流路１８１〜１８３）に遊技球を導入する位置に移動する。
【００３３】
なお、上記羽根部材のうち、第１羽根部材１６１を除く、第２羽根部材１６２、第３羽根部材１６３、及び第４羽根部材１６４が開閉部に相当する。
第１羽根部材１６１は、予め定められた時間が経過するごとに、一定時間、中央側に開いて、排出流路１５１を流下する遊技球を流路１７１に移動させる。流路１７１の下流には開放クルーン１７２が設けられている。
【００３４】
図５に示されるように、開放クルーン１７２は、遊技球を上面で保持する皿状形状であって、５つの貫通孔１７３〜１７７が設けられており、遊技球はこれらを通過して、アウト口から排出される。貫通孔１７３〜１７７には、それぞれ、検出スイッチ１７３ＳＷ〜１７７ＳＷが設けられており、遊技球がいずれかの貫通孔に進入したことを検出する。なお皿状とは、上面が広さを有しており、上面の外側ほど高さが高くなる形状と言える。
【００３５】
第２羽根部材１６２は、貫通孔１７３に遊技球が落下したとき、つまり第１検出スイッチ１７３ＳＷが遊技球を検出したときに、一定時間、外側に開いて、排出流路１５１を流下する遊技球を流路１８１に導入させる。流路１８１の下流には、中央役物群１３３の１つである波板役物２３１が設けられており、流路１８１に導入された遊技球は、波板役物２３１に進入する。
【００３６】
第３羽根部材１６３は、貫通孔１７４に遊技球が落下したとき、つまり第２検出スイッチ１７４ＳＷが遊技球を検出したときに、一定時間、外側に開いて、排出流路１５１を流下する遊技球を流路１８２に導入させる。流路１８２の下流には、中央役物群１３３の１つである回転体役物２４１が設けられており、流路１８２に導入された遊技球は、回転体役物２４１に進入する。
【００３７】
第４羽根部材１６４は、貫通孔１７５に遊技球が落下したとき、つまり第３検出スイッチ１７５ＳＷが遊技球を検出したときに、一定時間、外側に開いて、排出流路１５１を流下する遊技球を流路１８３に導入させる。流路１８３の下流には、中央役物群１３３の１つである入賞役物２５１が設けられており、流路１８３に導入された遊技球は、入賞役物２５１に進入する。
【００３８】
［１−４．右側役物ユニット］
右側役物ユニット１３２は、左側役物ユニット１３１と比較して、第１羽根部材１６１、流路１７１、及び開放クルーン１７２がない。それ以外は、左側役物ユニット１３１と左右対称となっている。
【００３９】
右側役物ユニット１３２の第２羽根部材１６２は、貫通孔１７６に遊技球が落下したとき、つまり第４検出スイッチ１７６ＳＷが遊技球を検出したときに、一定時間、外側に開いて、排出流路１５１を流下する遊技球を流路１８１に導入させ、波板役物２３１に進入させる。
【００４０】
右側役物ユニット１３２の第３羽根部材１６３は、貫通孔１７７に遊技球が落下したとき、つまり第５検出スイッチ１７７ＳＷが遊技球を検出したときに、一定時間、外側に開いて、排出流路１５１を流下する遊技球を流路１８２に導入させ、回転体役物２４１に進入させる。
【００４１】
なお、右側役物ユニット１３２の第４羽根部材１６４は、左側役物ユニット１３１の第４羽根部材１６４と同様に、第３検出スイッチ１７５ＳＷが遊技球を検出したときに動作し、遊技球を流路１８３に導入させる。つまり、貫通孔１７５に遊技球が落ちたときには、左右の２つの第４羽根部材１６４が動作する。
【００４２】
なお、貫通孔１７３〜１７７及びその先の流路が、遊技球が進入可能に構成される複数の進入路に相当し、検出スイッチ１７３ＳＷ〜１７７ＳＷが、複数の検出部に相当する。また、流路１８１〜１８３が、遊技球が流下可能な複数の流路、かつ、副流路に相当する。
また、羽根部材１６２〜１６４において、検出スイッチ１７３〜１７７の検出信号に従って外側に開いた状態が開状態に相当し、外側に開かず、排出流路１５１を流れる遊技球の落下を妨げない状態が閉状態に相当する。
【００４３】
［１−５．中央役物群］
図６に示すように、第１クルーン２０１は皿状の形状であって、左右のシーソー１４４から遊技球が流れ込む経路２０２、２０３が接続されており、本体の中央近傍に３つの貫通孔２０４、２０５、２０６が形成されている。
【００４４】
第１クルーン２０１の下方には、左右に長さを有する皿状のテーブル部材２１１が配置されている。テーブル部材２１１は、中央に貫通孔２１２を備えている。このテーブル部材２１１は、図示しない駆動装置によって左右に繰り返し移動する。なお図６では、理解を容易にするため、第１クルーン２０１とテーブル部材２１１との間隔を広く示している。
【００４５】
テーブル部材２１１の下方には、振分板２２１が配置されている。振分板２２１には、中央ルート２２２と、その左右両側の側方ルート２２３と、が設けられている。
図７は、第１クルーン２０１、テーブル部材２１１、振分板２２１を上方から見た図である。第１クルーン２０１に入った遊技球は、貫通孔２０４に入れば、テーブル部材２１１を介さずに中央ルート２２２に入る。貫通孔２０５、２０６に入った遊技球は、テーブル部材２１１が存在しなければ側方ルート２２３に入るが、左右に移動するテーブル部材２１１上に落下すれば、テーブル部材２１１上を移動して貫通孔２１２から落下する。このとき、貫通孔２１２が中央ルート２２２の真上に位置していれば、遊技球は中央ルート２２２に入り、中央ルート２２２の真上に位置していなければ側方ルート２２３に入る。
【００４６】
中央ルート２２２に入った遊技球は、後方から落下して波板役物２３１に入る。一方、側方ルート２２３に入った遊技球は図示しないアウト口を通過して遊技盤１０９から排出される。
図８に示すように、波板役物２３１は、上端の高さが不均一な波状にした複数の波板２３２を前後に並べ、それらが上下動するように構成したものである。中央ルート２２２に入った遊技球は波板役物２３１の後方中央部に落下する。また、流路１８１から流入する遊技球も後方に進入する。複数の波板２３２は、その上端が、徐々に前方が低くなるように並べられているため、遊技球は前方に移動する。その後、図３に示される中央ルート２３３、側方ルート２３４のいずれかに進入する。
【００４７】
中央ルート２３３に入った遊技球は回転体役物２４１に入る。一方、側方ルート２３４に入った遊技球は図示しないアウト口を通過して遊技盤１０９から排出される。
回転体役物２４１に遊技球が進入するルートは、中央ルート２３３か、或いは流路１８２である。回転体役物２４１は、中央が低くなった台２４２と、台２４２の中央部に配置される回転円盤２４３と、回転円盤２４３の周囲に配置される４つの回転体２４４と、台２４２の前端部分に設けられ、遊技球が進入する中央ルート２４５及び側方ルート２４６と、を備える。回転円盤２４３と回転体２４４は、常時回転している。
【００４８】
遊技球は、台２４２の低く形成された中央に移動するが、回転円盤２４３や回転体２４４によって弾き飛ばされる。台２４２は周囲が壁面に囲われているが、中央ルート２４５と側方ルート２４６の部分のみ壁面がなく、遊技球はそれらのいずれかに進入する。
【００４９】
中央ルート２４５に入った遊技球は入賞役物２５１に落下する。一方、側方ルート２４６に入った遊技球は図示しないアウト口を通過して排出される。
入賞役物２５１に遊技球が進入するルートは、中央ルート２４５か、或いは流路１８３である。
【００５０】
入賞役物２５１は、中央部に配置される回転円盤２５２と、その周囲に形成される貫通孔２５５と、を備える。回転円盤２５２は、中心に貫通孔２５３が形成され、その周りに４つの柱２５４が立てられている。貫通孔２５３は遊技球が通過可能な大きさとして形成されているが、回転円盤２５２は常時回転しているため、柱２５４に接触した遊技球は外側に弾かれ、貫通孔２５３には進入しにくくなっている。貫通孔２５３に進入した場合、入賞装置１１２が開き、その間を通過し、入賞となる。一方、貫通孔２５５に進入した遊技球は、図示しないアウト口を通過して遊技盤１０９から排出される。
【００５１】
入賞装置１１２に入賞した場合には、大当たり遊技が開始される。大当たり遊技が開始されると、振分装置１０の内部に設けられる大入賞装置が開放される。なお本実施形態では入賞装置１１２に入賞した場合には大当たりが確定するように構成されているが、入賞装置１１２に入賞した場合には抽選が行われ、当たりであれば大当たり遊技が開始されるように構成されていてもよい。
【００５２】
［１−６．遊技機の内部構成］
図９は、パチンコ機１０１の機能ブロックを表す図である。パチンコ機１０１は、主制御基板４００、払出制御基板４１０、演出制御基板４２０、ランプ制御基板４３０、及び発射制御基板４４０などを備えている。
【００５３】
主制御基板４００は、パチンコ機１０１の基本動作を制御する。主制御基板４００は、ＣＰＵ４０１、ＲＯＭ４０２、ＲＡＭ４０３などを含んでいる。主制御基板４００には、入賞装置１１２に遊技球が入球したことを検知するスイッチ、振分装置１０の大入賞装置に遊技球が入球したことを検知するスイッチ、検出スイッチ１７３ＳＷ〜１７７ＳＷなど（これらを総称してスイッチ群５０１と記載する）のほか、羽根部材１６１〜１６４を動作させる複数のソレノイドや中央役物群１３３を動作させるモーター等（これらを総称してアクチュエータ群５０２と記載する）が接続されている。
また主制御基板４００には、払出制御基板４１０、演出制御基板４２０、及び発射制御基板４４０が接続されている。
【００５４】
主制御基板４００において、ＣＰＵ４０１は、スイッチ群５０１に含まれる各種スイッチやタイマからの入力信号に基づき、ＲＯＭ４０２に格納されたプログラムを読み出して演算処理を行うとともに、アクチュエータ群５０２を制御したり、あるいは演算処理の結果に応じて他の基板にコマンドを送信したりする。すなわち、主制御基板４００は、検出スイッチ１７３ＳＷ〜１７７ＳＷの検出信号に基づいて羽根部材１６２〜１６４を動作させて、一定期間、閉状態から開状態に遷移させる。この主制御基板４００が、制御部に相当する。
【００５５】
払出制御基板４１０は、賞球の払い出しを制御する。演出制御基板４２０は、ランプ制御基板４３０等を制御し、パチンコ機１０１による演出動作を制御する。発射制御基板４４０は、遊技球を発射する発射装置１０４ｃの動作を制御する。
【００５６】
［１−７．効果］
以上詳述した実施形態によれば、以下の効果が得られる。
（１ａ）パチンコ機１０１では、遊技球が開放クルーン１７２のいずれの貫通孔に落下するかによって異なる羽根部材１６２〜１６４が開状態となり、異なる流路が開放され、遊技球の中央役物群１３３への移動が可能になる。よって、遊技者は、様々なルートから入賞装置１１２に向かって移動する遊技球の動きを楽しむことができる。
【００５７】
（１ｂ）遊技球が排出流路１５１に入ったとしても、いずれかの流路１８１〜１８３から中央役物群１３３に復帰する可能性があるため、遊技者は期待を持って遊技球の動きを楽しむことができる。また、遊技球がいずれの流路１８１〜１８３から中央役物群１３３に戻るかに応じて、入賞装置１１２に到達するまでに通過すべき役物の数が変化するため、当該遊技球が入賞装置１１２へ入賞する確率が異なることとなる。そのため、遊技者は、開状態となる流路がどれであるかを楽しむことができる。
【００５８】
（１ｃ）羽根部材１６２〜１６４のいずれが動作させるかを決定する貫通孔１７３〜１７７は、すべて開放クルーン１７２に形成されているため、遊技者は開放クルーン１７２を見て、どの貫通孔に遊技球が進入するかを楽しむことができる。
【００５９】
［２．他の実施形態］
以上、本発明の実施形態について説明したが、本発明は上述の実施形態に限定されることなく、種々変形して実施することができる。
【００６０】
（２ａ）上記実施形態では、開放クルーン１７２にすべての進入路（貫通孔１７３〜１７７）が配置される構成を例示したが、いくつかの進入路は他の役物などに配置されていてもよいし、いずれも分散して配置されていてもよい。
【００６１】
（２ｂ）上記実施形態では、羽根部材１６２〜１６４の開閉により遊技球が流入可能となる流路１８１〜１８３は、いずれも、中央役物群１３３のいずれかの役物に接続されている構成を例示した。しかしながら、複数の流路のうちの一部が、遊技領域から排出される排出口や入賞装置に接続されていてもよい。流路は、遊技球が定められた方向に移動可能な空間を形成するものを意味し、具体的な形態、構成は特に限定されない。
【００６２】
（２ｃ）上記実施形態では、貫通孔１７３〜１７７のいずれかに遊技球が進入したことが検出スイッチ１７３ＳＷ〜１７７ＳＷにより検出されたときに、羽根部材１６２〜１６４のいずれかが動作し、遊技球を流路１８１〜１８３のいずれかに導入する開状態となる構成を例示した。しかしながら、通常時は開状態であって、遊技球が貫通孔１７３〜１７７に進入したときに、閉状態となるように構成されていてもよい。
【００６３】
（２ｄ）左側役物ユニット１３１、右側役物ユニット１３２、中央役物郡１３３の各役物、及び振分装置１０の構成や配置など、上記実施形態の構成に限定されず、さまざまな態様に変更して実施することができる。例えば、羽根部材１６２〜１６４の動作によって開放される流路１８１〜１８３の数は左右それぞれに２つ、或いは４つ以上であってもよい。また開放クルーン１７２に設けられる貫通孔の数も２つ以上とすることができる。
【００６４】
（２ｅ）上記実施形態では、羽根部材１６２〜１６４が、対応する流路１８１〜１８３に対して遊技球を導入させる開状態と、導入させない閉状態と、の間で遷移可能となる構成を例示した。しかしながら、開状態は、遊技球の進入が相対的に容易な状態であればよく、また閉状態は、遊技球の進入が相対的に困難な状態であればよい。すなわち、開状態であっても対応する流路に遊技球が必ずしも進入しなくともよいし、閉状態であってもその流路に遊技球が進入してもよい。
【００６５】
（２ｆ）上記実施形態では、開状態と閉状態とを構成する開閉部として、第２羽根部材１６２、第３羽根部材１６３、及び第４羽根部材１６４を例示した。しかしながら、開閉部は羽根部材以外の形態、構成であってもよい。所定の範囲（例えば第１位置と第２位置との間）を変位可能、又は変形可能な部材であって、その変位や変形により、遊技球の進行方向を変えることができる様々な部材を用いることができる。
【符号の説明】
【００６６】
１０…振分装置、１１…開口、１２…傾斜面、１３…突起、１４…貫通孔、２１…回転板、２２…回転軸、２３…ステップモータ、２４…流路、２５…狭路、３１…回転体、３２…左側板、３３…中央板、３４…右側板、３５Ｌ…左排出口、３５Ｒ…右排出口、３６Ｌ…左レール、３６Ｒ…右レール、１０１…パチンコ機、１０２…盤面窓枠、１０３…皿扉、１０３ａ…演出ボタン、１０４…下部ユニット、１０４ａ…ハンドル、１０４ｂ…灰皿、１０４ｃ…発射装置、１０７…窓、１０７ａ…ガラス板、１０８…電飾、１０９…遊技盤、１１０…遊技領域、１１１…ガイドレール、１１２…入賞装置、１２１，１２１ａ…ブロック、１２２…アウト口、１３１…左側役物ユニット、１３２…右側役物ユニット、１３３…中央役物群、１４１…風車、１４２…回転軸、１４３…溝、１４４…シーソー、１５１…排出流路、１５１ａ…下端部、１６１…第１羽根部材、１６２…第２羽根部材、１６３…第３羽根部材、１６４…第４羽根部材、１７１…流路、１７２…開放クルーン、１７３〜１７７…貫通孔、１７３ＳＷ〜１７７ＳＷ…検出スイッチ、１８１〜１８３…流路、２０１…第１クルーン、２０２…経路、２０４…貫通孔、２１１…テーブル部材、２１２…貫通孔、２２１…振分板、２２２…中央ルート、２２３…側方ルート、２３１…波板役物、２３２…板、２３３…中央ルート、２３４…側方ルート、２４１…回転体役物、２４２…台、２４３…回転円盤、２４４…回転体、２４５…中央ルート、２４６…側方ルート、２５１…入賞役物、２５２…回転円盤、２５３…貫通孔、２５４…柱、２５５…貫通孔、４００…主制御基板、４０１…ＣＰＵ、４０２…ＲＯＭ、４０３…ＲＡＭ、４１０…払出制御基板、４２０…演出制御基板、４３０…ランプ制御基板、４４０…発射制御基板、５０１…スイッチ群、５０２…アクチュエータ群
【図１】
2019024929.tif 000003
【図２】
2019024929.tif 000004
【図３】
2019024929.tif 000005
【図４】
2019024929.tif 000006
【図５】
2019024929.tif 000007
【図６】
2019024929.tif 000008
【図７】
2019024929.tif 000009
【図８】
2019024929.tif 000010
【図９】
2019024929.tif 000011